(57)【要約】【課題】任意のゾーンにおける給気風量の不足を補う。【解決手段】ゾーン選択部１５Ｂが、ゾーンのうち給気風量が不足しているゾーンを給気風量不足ゾーンとして選択し、給気風量不足ゾーンの周囲に位置する１つまたは複数のゾーンを、給気風量不足ゾーンに対してアシスト給気を行うアシストゾーンとして選択し、給気風量調整部１５Ｃが、空調システム２０に指示するアシストゾーンのゾーン設定温度を調整して、アシストゾーンでの給気風量を増大させることにより、給気風量不足ゾーンで不足している給気風量を補う。【選択図】  図１
2020076508.tif 000002
【特許請求の範囲】
【請求項１】
指定された給気温度の空調空気を生成して供給する空調機と、前記空調機から供給された前記空調空気を指定された給気風量で空調対象となる空間に供給する複数の空調機器とを有し、前記複数の空調機器から通知された負荷状況に応じて前記空調機の給気温度をロードリセット制御する空調システムで用いられて、前記空間を分割して設けた複数のゾーンのそれぞれに設定されているゾーン設定温度に基づいて、前記ゾーンと対応する前記空調機器から当該ゾーンに給気すべき前記空調空気の給気風量を、前記空調システムに指示する空調制御装置であって、
前記ゾーンのうち前記給気風量が不足しているゾーンを給気風量不足ゾーンとして選択し、前記給気風量不足ゾーンの周囲に位置する１つまたは複数のゾーンを、前記給気風量不足ゾーンに対してアシスト給気を行うアシストゾーンとして選択するゾーン選択部と、
前記空調システムに指示する前記アシストゾーンのゾーン設定温度を調整して、前記アシストゾーンでの給気風量を増大させることにより、前記給気風量不足ゾーンで不足している給気風量を補う給気風量調整部と
を備えることを特徴とする空調制御装置。
【請求項２】
請求項１に記載の空調制御装置において、
前記ゾーン選択部は、前記複数の空調機器から通知された、それぞれのゾーンでの関する空調能力不足を示す前記負荷状況に基づいて、前記給気風量不足ゾーンを選択することを特徴とする空調制御装置。
【請求項３】
請求項１または請求項２に記載の空調制御装置において、
前記給気風量調整部は、前記アシストゾーンのゾーン設定温度を調整する際、前記空調機が冷房運転中である場合には、前記アシストゾーンのゾーン設定温度を予め設定されている冷房調整温度だけ低い温度に調整し、前記空調機が暖房運転中である場合には、前記アシストゾーンのゾーン設定温度を予め設定されている暖房調整温度だけ高い温度に調整することを特徴とする空調制御装置。
【請求項４】
請求項１または請求項２に記載の空調制御装置において、
前記給気風量調整部は、前記アシストゾーンのゾーン設定温度を調整する際、前記アシストゾーンのうちから、当該アシストゾーンにおける前回調整時から一定時間経過していない既調整ゾーンを除外し、残りのアシストゾーンのゾーン設定温度のみを調整することを特徴とする空調制御装置。
【請求項５】
指定された給気温度の空調空気を生成して供給する空調機と、前記空調機から供給された前記空調空気を指定された給気風量で空調対象となる空間に供給する複数の空調機器とを有し、前記複数の空調機器から通知された負荷状況に応じて前記空調機の給気温度をロードリセット制御する空調システムの空調制御装置で用いられて、前記空間を分割して設けた複数のゾーンのそれぞれに設定されているゾーン設定温度に基づいて、前記ゾーンと対応する前記空調機器から当該ゾーンに給気すべき前記空調空気の給気風量を、前記空調システムに指示するための空調制御方法であって、
ゾーン選択部が、前記ゾーンのうち前記給気風量が不足しているゾーンを給気風量不足ゾーンとして選択し、前記給気風量不足ゾーンの周囲に位置する１つまたは複数のゾーンを、前記給気風量不足ゾーンに対してアシスト給気を行うアシストゾーンとして選択するゾーン選択ステップと、
給気風量調整部が、前記空調システムに指示する前記アシストゾーンのゾーン設定温度を調整して、前記アシストゾーンでの給気風量を増大させることにより、前記給気風量不足ゾーンで不足している給気風量を補う給気風量調整ステップと
を備えることを特徴とする空調制御方法。
【発明の詳細な説明】
【技術分野】
【０００１】
本発明は、ＶＡＶ（Variable Air Volume）方式のセントラル空調システムで用いられる空調制御技術に関する。
【背景技術】
【０００２】
近年、ビルなどの比較的広い空調空間を持つ建物では、空調システムとして、ＶＡＶ方式のセントラル空調システムが導入されている。ＶＡＶ方式のセントラル空調システムは、空調空間を複数に分割して設けた各ゾーンに、可変風量型の空調機器（ＶＡＶ）を配置し、空調機（ＡＨＵ：Air Handling Unit）で調整した給気を各ゾーンに供給し、各ゾーンのＶＡＶで空調空間に送風する給気風量を制御するシステムである。
【０００３】
従来、このようなＶＡＶ方式のセントラル空調システムでは、空調空間内のあるゾーンにおける温熱環境を最適制御するための空調制御技術として、ロードリセット制御が用いられている。空調機コントローラは、このロードリセット制御により、各ＶＡＶから通知された要求風量に応じて給気温度設定値を再設定し（ロードリセット）、新たな給気温度設定値と温度センサで検出したＡＨＵの給気温度とが一致するように、ＰＩＤなどのアルゴリズムを用いて冷温水の流量に関する操作量を計算してバルブを制御するとともに、各ＶＡＶで必要な総風量に応じてＡＨＵの給気風量を制御する（例えば、特許文献１など参照）。
【先行技術文献】
【特許文献】
【０００４】
【特許文献１】特開２０１５−１３２３９６号公報
【特許文献２】特開平８−２８９４０号公報
【特許文献３】特開平８−４２９０２号公報
【発明の概要】
【発明が解決しようとする課題】
【０００５】
しかしながら、このような従来技術では、各ゾーンでの要求風量に応じて、ＡＨＵの給気温度設定値を最適値に制御できるものの、他のゾーンと比較して熱負荷が大きいゾーンで給気風量が不足傾向となって、設定温度と実温度との偏差、すなわち定常偏差が発生しやすいという問題点があった。
【０００６】
例えば、冷房運転時、各ゾーンのうち、他と比較して熱負荷が小さいゾーンにおいて、給気風量を最小にしてもゾーン温度が設定温度を下回ってしまうような場合、従来技術では、ＡＨＵの給気温度を上げることにより、当該ゾーンのゾーン温度を設定温度まで上昇させるという制御が行われる。一方、このような給気温度の上昇は、各ゾーンのゾーン温度を上昇させる要因となるため、各ゾーンのゾーン温度を設定温度に維持するために、ほぼすべてのゾーンの給気風量が増大することになる。この際、比較的熱負荷の大きいＶＡＶゾーンの給気風量が最大給気風量に達したために風量を十分に増加し得ない状況となることがあり、そのゾーンが空調不足に陥る原因になり得る。
【０００７】
本発明はこのような課題を解決するためのものであり、任意のゾーンにおける給気風量の不足を補うことができる空調制御技術を提供することを目的としている。
【課題を解決するための手段】
【０００８】
このような目的を達成するために、本発明にかかる空調制御装置は、指定された給気温度の空調空気を生成して供給する空調機と、前記空調機から供給された前記空調空気を指定された給気風量で空調対象となる空間に供給する複数の空調機器とを有し、前記複数の空調機器から通知された負荷状況に応じて前記空調機の給気温度をロードリセット制御する空調システムで用いられて、前記空間を分割して設けた複数のゾーンのそれぞれに設定されているゾーン設定温度に基づいて、前記ゾーンと対応する前記空調機器から当該ゾーンに給気すべき前記空調空気の給気風量を、前記空調システムに指示する空調制御装置であって、前記ゾーンのうち前記給気風量が不足しているゾーンを給気風量不足ゾーンとして選択し、前記給気風量不足ゾーンの周囲に位置する１つまたは複数のゾーンを、前記給気風量不足ゾーンに対してアシスト給気を行うアシストゾーンとして選択するゾーン選択部と、前記空調システムに指示する前記アシストゾーンのゾーン設定温度を調整して、前記アシストゾーンでの給気風量を増大させることにより、前記給気風量不足ゾーンで不足している給気風量を補う給気風量調整部とを備えている。
【０００９】
また、本発明にかかる上記空調制御装置の一構成例は、前記ゾーン選択部が、前記複数の空調機器から通知された、それぞれのゾーンでの関する空調能力不足を示す前記負荷状況に基づいて、前記給気風量不足ゾーンを選択するようにしたものである。
【００１０】
また、本発明にかかる上記空調制御装置の一構成例は、前記給気風量調整部が、前記アシストゾーンのゾーン設定温度を調整する際、前記空調機が冷房運転中である場合には、前記アシストゾーンのゾーン設定温度を予め設定されている冷房調整温度だけ低い温度に調整し、前記空調機が暖房運転中である場合には、前記アシストゾーンのゾーン設定温度を予め設定されている暖房調整温度だけ高い温度に調整するようにしたものである。
【００１１】
また、本発明にかかる上記空調制御装置の一構成例は、前記給気風量調整部が、前記アシストゾーンのゾーン設定温度を調整する際、前記アシストゾーンのうちから、当該アシストゾーンにおける前回調整時から一定時間経過していない既調整ゾーンを除外し、残りのアシストゾーンのゾーン設定温度のみを調整するようにしたものである。
【００１２】
また、本発明にかかる空調制御方法は、指定された給気温度の空調空気を生成して供給する空調機と、前記空調機から供給された前記空調空気を指定された給気風量で空調対象となる空間に供給する複数の空調機器とを有し、前記複数の空調機器から通知された負荷状況に応じて前記空調機の給気温度をロードリセット制御する空調システムの空調制御装置で用いられて、前記空間を分割して設けた複数のゾーンのそれぞれに設定されているゾーン設定温度に基づいて、前記ゾーンと対応する前記空調機器から当該ゾーンに給気すべき前記空調空気の給気風量を、前記空調システムに指示するための空調制御方法であって、ゾーン選択部が、前記ゾーンのうち前記給気風量が不足しているゾーンを給気風量不足ゾーンとして選択し、前記給気風量不足ゾーンの周囲に位置する１つまたは複数のゾーンを、前記給気風量不足ゾーンに対してアシスト給気を行うアシストゾーンとして選択するゾーン選択ステップと、給気風量調整部が、前記空調システムに指示する前記アシストゾーンのゾーン設定温度を調整して、前記アシストゾーンでの給気風量を増大させることにより、前記給気風量不足ゾーンで不足している給気風量を補う給気風量調整ステップとを備えている。
【発明の効果】
【００１３】
本発明によれば、各ゾーンのうち給気風量が不足している給気風量不足ゾーンに対して、その周囲に位置する１つまたは複数のアシストゾーンにより、アシスト給気が行われることになる。したがって、任意のゾーンにおける給気風量の不足を補うことができ、設定温度と実温度との偏差、すなわち定常偏差の発生を抑制することが可能となる。このため、空間Ｒに設けられた各ゾーンのうち、熱負荷が大きいゾーンがあって冷房能力が間に合わない場合でも、周囲のゾーンから供給された給気により、より良好な空調環境に制御することが可能となる。
【図面の簡単な説明】
【００１４】
【図１】空調制御装置の構成を示すブロック図である。
【図２】空調システムにおけるロードリセット制御動作を示すシーケンス図である。
【図３】空調システムにおけるゾーンアシスト制御動作を示すフローチャートである。
【図４】ゾーンアシスト制御の動作例である。
【発明を実施するための形態】
【００１５】
次に、本発明の一実施の形態について図面を参照して説明する。
［空調制御装置］
まず、図１を参照して、本実施の形態にかかる空調制御装置１０について説明する。図１は、空調制御装置の構成を示すブロック図である。
【００１６】
この空調制御装置１０は、全体として産業用コントローラやサーバ装置などの演算処理装置からなり、空調対象となる空間Ｒから検出されたデータに基づいて、同じく空間Ｒに設置されている空調システム２０の空調機ＡＨＵ（Air Handling Unit）および空調機器ＶＡＶ（Variable Air Volume：可変風量装置）で用いる給気風量や給気温度などの空調制御パラメータを計算して指示する機能を有している。
【００１７】
図１に示すように、空間Ｒには、空調システム２０が設置されている。空調制御装置１０は、通信回線Ｌ１を介して、空調システム２０の空調コントローラ２１と接続されている。
空調システム２０は、空調対象となる空間Ｒの空調環境を実際に調整するための既存のシステムであり、主な構成として、通信回線Ｌ２を介して相互に接続された、空調コントローラ２１、１つのＡＨＵ、およびＮ（Ｎは２以上の整数）個のＶＡＶを備えている。
【００１８】
空調コントローラ２１は、全体として産業用コントローラからなり、空調制御装置１０から指示された空調制御パラメータに基づいて、ＡＨＵおよびＶＡＶを制御する機能を有している。
ＡＨＵは、一般的な空調機からなり、空調コントローラ２１から指定された給気温度の空調空気を生成し、空調コントローラ２１から指定された給気風量で、各ＶＡＶへ送風する機能を有している。
ＶＡＶは、空間Ｒを分割して設けた複数のゾーンＺごとに設置された一般的な可変風量装置からなり、ＡＨＵから送風された空調空気を、空調コントローラ２１から指定された給気風量で対応するゾーンＺへ給気する機能を有している。
【００１９】
本発明にかかる空調システム２０は、一般的なロードリセット制御に基づいてＡＨＵおよびＶＡＶを制御する機能を有している。
具体的には、ＶＡＶは、対応するゾーンＺのゾーン設定温度と実際に温度センサで検出したゾーン温度とに基づいて当該ゾーンＺで必要とする要求風量を計算して空調コントローラ２１へ通知する機能と、これらゾーン設定温度、ゾーン温度、および要求風量に基づいて当該ゾーンＺにおける空調能力の不足有無を判定し、得られた判定結果を含む負荷状況（要求ステータス）を空調コントローラ２１へ通知する機能とを有している。
【００２０】
空調コントローラ２１は、ＶＡＶから通知された負荷状況に基づいてＡＨＵの給気温度設定値を再設定する機能と、その給気温度設定値と実際に温度センサで検出したＡＨＵの給気温度とに基づいて、ＡＨＵに供給される冷水や温水の供給量を制御するための操作量（バルブ開度）を計算して冷水バルブや温水バルブなどの熱媒バルブに指示する機能と、ＶＡＶから通知された要求風量から求めた総要求風量に基づいて、ＡＨＵで必要となる給気風量に応じたファン回転数を計算してＡＨＵに指示する機能とを有している。
【００２１】
図１では、空間Ｒには３（Ｎ＝３）つのゾーンＺ１，ゾーンＺ２，ゾーンＺ３と、３つのＶＡＶ１，ＶＡＶ２，ＶＡＶ３とが設置されており、１つのゾーンＺに１対１で１つのＶＡＶが設置されている場合が示されている。以下では、これを一般化して、空間Ｒに１つのＡＨＵが配置されており、このＡＨＵに対してＮ個のゾーンＺｉ（ｉ＝１，２，…，Ｎ）と１対１で対応するＮ個のＶＡＶｉ（ｉ＝１，２，…，Ｎ）が接続されている場合を例として説明する。
【００２２】
なお、ゾーンＺとＶＡＶの個数やゾーンＺとＶＡＶとの関係についてはこれに限定されるものではなく、少なくとも１つのゾーンＺに１つのＶＡＶが配置されていればよい。例えば、１つのゾーンＺに複数のＶＡＶが設置されている場合、これら複数のＶＡＶを１つの代表ＶＡＶに置換してゾーンＺの給気風量を計算し、最終的には得られた給気風量をそれぞれのＶＡＶで案分すれば、以下と同様にして本発明を適用できる。
また、ＡＨＵの個数についても、これに限定されるものではない。例えば、空間Ｒに複数のＡＨＵを配置して、各ＡＨＵに複数のＶＡＶを接続した構成である場合でも、それぞれのＡＨＵごと（空調系統ごと）にロードリセット制御が行われるのであれば、以下と同様にして本発明を適用できる。
【００２３】
次に、図１を参照して、空調制御装置１０の構成について詳細に説明する。空調制御装置１０は、主な機能部として、通信Ｉ／Ｆ部１１、操作入力部１２、表示部１３、記憶部１４、および演算処理部１５を備えている。
【００２４】
通信Ｉ／Ｆ部１１は、通信回線Ｌ１を介して空調コントローラ２１との間でデータ通信を行う機能を有している。
操作入力部１２は、キーボード、タッチパネル、マウス、操作ボタン、スイッチなどの操作入力装置からなり、オペレータの操作を検出して演算処理部１５へ出力する機能を有している。
表示部１３は、ＬＣＤやＬＥＤなどの表示素子からなり、演算処理部１５から出力されたデータを可視表示する機能を有している。
【００２５】
記憶部１４は、ハードディスクや半導体メモリなどの記憶装置からなり、演算処理部１５で実行される空調制御処理に用いるプログラム１４Ｐや各種の処理データを記憶する機能を有している。プログラム１４Ｐは、空調制御装置１０に接続された外部装置や記録媒体から、記憶部１４に予め格納される。記憶部１４で記憶する処理データとしては、施設管理システム３０から取得したゾーンＺとＶＡＶとの対応関係のほか、各ゾーンに関するゾーン設定温度、負荷状況、さらには後述するアシストゾーンや既調整ゾーンに関するデータがある。
【００２６】
演算処理部１５は、ＣＰＵとその周辺回路を有し、ＣＰＵと記憶部１４のプログラム１４Ｐとを協働させることにより、各種の処理部を実現する機能を有している。演算処理部１５で実現される主な処理部として、データ取得部１５Ａ、ゾーン選択部１５Ｂ、給気風量調整部１５Ｃ、および空調指示部１５Ｄがある。
【００２７】
データ取得部１５Ａは、空調システム２０の空調コントローラ２１から、通信回線Ｌ１および通信Ｉ／Ｆ部１１を介して、各ゾーンＺに関するゾーン設定温度および負荷状況を取得し、記憶部１４に保存する機能を有している。
【００２８】
ゾーン選択部１５Ｂは、ＶＡＶから空調コントローラ２１に通知された、それぞれのゾーンＺに関する空調能力不足を示す負荷状況を記憶部１４から取得し、これら負荷状況に基づいて、ゾーンＺのうち給気風量が不足しているゾーンを給気風量不足ゾーンとして選択する機能と、給気風量不足ゾーンの周囲に位置する１つまたは複数のゾーンを、給気風量不足ゾーンに対してアシスト給気を行うアシストゾーンとして選択する機能とを有している。
【００２９】
給気風量調整部１５Ｃは、空調システム２０の空調コントローラ２１に指示するアシストゾーンのゾーン設定温度を調整して、アシストゾーンでの給気風量を増大させることにより、給気風量不足ゾーンで不足している給気風量を補う機能を有している。
具体的には、アシストゾーンのゾーン設定温度を調整する際、給気風量調整部１５Ｃは、ＡＨＵが冷房運転中である場合、アシストゾーンのゾーン設定温度を予め設定されている冷房調整温度だけ低い温度に調整する。また、ＡＨＵが暖房運転中である場合には、アシストゾーンのゾーン設定温度を予め設定されている暖房調整温度だけ高い温度に調整する。なお、これら冷房調整温度および暖房調整温度として、１つの同じ調整温度を兼用してもよい。
【００３０】
また、アシストゾーンのゾーン設定温度を調整する際、給気風量調整部１５Ｃは、アシストゾーンのうちから、当該アシストゾーンにおける前回調整時から一定時間経過していない既調整ゾーンを除外し、残りのアシストゾーンのゾーン設定温度のみを調整する機能を有している。
【００３１】
空調指示部１５Ｄは、給気風量調整部１５Ｃで調整されたアシストゾーンのゾーン設定温度を、通信Ｉ／Ｆ部１１および通信回線Ｌ１を介して、空調システム２０の空調コントローラ２１へ指示する機能を有している。
【００３２】
［空調システムの動作］
次に、図２を参照して、本実施の形態にかかる空調制御装置１０が用いられる空調システム２０のロードリセット制御動作について説明する。図２は、空調システムにおけるロードリセット制御動作を示すシーケンス図である。
【００３３】
各ＶＡＶｉは、予め設定されている機器制御周期の到来に応じて、対応するゾーンＺｉに設置されている温度センサにより検出されたゾーン温度を取得し（ステップＳ１００）、空調コントローラ２１から指示されたゾーンＺｉのゾーン設定温度を自己の記憶部（図示せず）から取得する（ステップＳ１０１）。
続いて、各ＶＡＶｉは、これらゾーン温度とゾーン設定温度との偏差に基づいてゾーンＺｉで必要となる要求風量を計算し（ステップＳ１０２）、得られた要求風量を空調コントローラ２１へ通知する（ステップＳ１０３）。
【００３４】
空調コントローラ２１は、各ＶＡＶｉから通知された要求風量を取得して、これらの総要求風量を計算し（ステップＳ１０４）、得られた総要求風量に基づいてＡＨＵで必要となる給気風量に応じたファン回転数を計算し（ステップＳ１０５）、得られたファン回転数をＡＨＵに指示する（ステップＳ１０６）。
ＡＨＵは、空調コントローラ２１から指示されたファン回転数に基づいて給気ファンの回転数を制御する（ステップＳ１０７）。これにより、各ゾーンＺｉで必要とされている風量分の空調空気がＡＨＵから各ＶＡＶｉへ給気されることになる。
【００３５】
また、各ＶＡＶｉは、ステップＳ１０２で計算したゾーンＺｉで必要となる要求風量に基づいて、自己のダンパの開度を制御する（ステップＳ１１０）。これにより、ゾーンＺｉにおける要求風量が確保されることになる。
この後、各ＶＡＶｉは、ゾーンＺｉの要求風量と、ゾーン温度およびゾーン設定温度とに基づいて、ゾーンＺｉにおける負荷状況として、空調能力の不足有無を判定し（ステップＳ１１１）、空調能力が不足していないと判定された場合（ステップＳ１１２：ＮＯ）、次の機器制御周期の到来まで待機する。空調能力の不足有無については、例えば特許文献２−３に記載されている公知の判定手法を用いればよい。
【００３６】
一方、空調能力が不足していると判定された場合（ステップＳ１１２：ＹＥＳ）、各ＶＡＶｉは、ゾーンＺｉにおける負荷状況として、空調能力の不足ありを空調コントローラ２１へ通知する（ステップＳ１１３）。
空調コントローラ２１は、各ＶＡＶｉから通知された負荷状況が空調能力の不足ありを示す場合、ＡＨＵの給気温度設定値を変更して再設定する（ステップＳ１１４）。この際、負荷状況が冷房能力不足を示す場合、給気温度設定値が予め設定されている温度幅だけ低く設定され、負荷状況が暖房能力不足を示す場合、給気温度設定値が予め設定されている温度幅だけ高く設定される。
【００３７】
この後、空調コントローラ２１は、温度センサにより検出されたＡＨＵの給気温度を取得し（ステップＳ１１５）、ＰＩＤなどのフィードバック制御アルゴリズムに基づいて、ＡＨＵの給気温度設定値と給気温度とを一致させるための新たな操作量（バルブ開度）を計算し（ステップＳ１１６）、得られた新たな操作量を熱媒バルブ（図示せず）へ指示する（ステップＳ１１７）。
【００３８】
一般に、ＡＨＵの給気温度は、ＡＨＵへ供給される冷水や温水からなる熱媒の供給量で制御される。したがって、空調コントローラ２１では、熱媒の供給量を制御する冷水バルブや温水バルブなどの熱媒バルブの開度を示す操作量を計算して、熱媒バルブに指示することになる。
熱媒バルブは、空調コントローラ２１から指示された操作量に基づいて、バルブ開度を制御する（ステップＳ１１８）。これにより、ＡＨＵの給気温度が給気温度設定値と一致するよう制御され、結果として各ゾーンでの空調能力不足が解消されることになる。
【００３９】
［空調制御装置の動作］
次に、図３を参照して、本実施の形態にかかる空調制御装置１０のゾーンアシスト制御動作について説明する。図３は、空調システムにおけるゾーンアシスト制御動作を示すフローチャートである。
【００４０】
データ取得部１５Ａは、予め設定されているゾーンアシスト制御周期の到来に応じて、空調コントローラ２１から、各ゾーンＺｉのゾーン設定温度を取得するとともに（ステップＳ１２０）、各ゾーンＺｉの負荷状況を取得し、記憶部１４に保存する（ステップＳ１２１）。
次に、ゾーン選択部１５Ｂは、記憶部１４に保存されている各ゾーンＺｉの負荷状況を取得し、これら負荷状況に基づいて、各ゾーンＺｉのうち給気風量が不足している給気風量不足ゾーンが存在するか確認する（ステップＳ１２２）。
ここで、すべての負荷状況が供給風量不足を示しておらず、給気風量不足ゾーンが存在しない場合（ステップＳ１２２：ＮＯ）、一連のゾーンアシスト制御動作を終了して、次のゾーンアシスト制御周期の到来まで待機する。
【００４１】
一方、負荷状況が空調能力不足を示す給気風量不足ゾーンが存在している場合（ステップＳ１２２：ＹＥＳ）、ゾーン選択部１５Ｂは、その給気風量不足ゾーンの周囲に位置する１つまたは複数のゾーンを、給気風量不足ゾーンに対してアシスト給気を行うアシストゾーンとして選択する（ステップＳ１２３）。
【００４２】
続いて、給気風量調整部１５Ｃは、ゾーン選択部１５Ｂで選択されたアシストゾーンのうちから、当該アシストゾーンでその直前にゾーン設定温度を調整した前回調整時から一定時間経過していない既調整ゾーンを除外する（ステップＳ１２４）。この際、ゾーンアシスト制御によりゾーン設定温度を調整したタイミングは、ゾーンごとに記憶部１４に保存しておくものとする。
【００４３】
次に、給気風量調整部１５Ｃは、既調整ゾーンを除外した残りのアシストゾーンのゾーン設定温度を、予め設定されている調整温度だけ調整する（ステップＳ１２５）。この際、給気風量調整部１５Ｃは、ＡＨＵが冷房運転中である場合には、アシストゾーンのゾーン設定温度を予め設定されている冷房調整温度だけ低い温度に調整し、ＡＨＵが暖房運転中である場合には、アシストゾーンのゾーン設定温度を予め設定されている暖房調整温度だけ高い温度に調整する。
【００４４】
この後、空調指示部１５Ｄは、給気風量調整部１５Ｃで調整されたアシストゾーンのゾーン設定温度を、通信Ｉ／Ｆ部１１および通信回線Ｌ１を介して、空調システム２０の空調コントローラ２１へ指示し（ステップＳ１２６）、一連のゾーンアシスト制御動作を終了して、次のゾーンアシスト制御周期の到来まで待機する。
【００４５】
図４は、ゾーンアシスト制御の動作例である。図４には、平面視矩形形状をなす空間Ｒを、３×２の６（Ｎ＝６）つのゾーンに分割し、各ゾーンＺｉ（ｉ＝１，２，…，６）に対して１対１でＶＡＶｉを配置した例が示されている。
このような、配置例において、ゾーンＺ１が供給風量不足ゾーンとして選択され、ゾーンＺ１の周囲に隣接するゾーンＺ２とゾーンＺ３がアシストゾーンとして選択されたものとする。
【００４６】
これにより、ＡＨＵが冷房運転中である場合には、アシストゾーンＺ２のゾーン設定温度Ｔｓ２が、予め設定されている冷房調整温度ΔＴだけ低い温度、すなわちＴｓ２−ΔＴに調整される。同じく、アシストゾーンＺ３のゾーン設定温度Ｔｓ３も、冷房調整温度ΔＴだけ低い温度、すなわちＴｓ３−ΔＴに調整される。
また、ＡＨＵが暖房運転中である場合には、アシストゾーンＺ２のゾーン設定温度Ｔｓ２が、予め設定されている暖房調整温度ΔＴだけ高い温度、すなわちＴｓ２＋ΔＴに調整される。同じく、アシストゾーンＺ３のゾーン設定温度Ｔｓ３も、暖房調整温度ΔＴだけ低い温度、すなわちＴｓ３＋ΔＴに調整される。
【００４７】
これにより、アシストゾーンＺ２，Ｚ３では、ゾーン温度が新たなゾーン設定温度に近づくように、空調コントローラ２１がアシストゾーンＺ２，Ｚ３のＶＡＶ２，ＶＡＶ３を制御し、アシストゾーンＺ２，Ｚ３に供給される空調空気の量、すなわちゾーン供給風量が増大することになる。このため、給気風量不足ゾーンＺ１に対して、その周囲のアシストゾーンＺ２，Ｚ３から空調空気が流れ込み、結果として給気風量不足ゾーンＺ１で不足している給気風量が周囲のアシストゾーンＺ２，Ｚ３により補われることになる。したがって、給気風量不足ゾーンＺ１の負荷状況が改善されることになり、給気風量不足ゾーンＺ１の空調環境を、良好に保つことが可能となる。
【００４８】
また、直前にゾーン設定温度を調整した前回調整時から一定時間経過していない既調整ゾーンが、アシストゾーンから除外されるため、既調整ゾーンの効果が得られる期間を設けることができ、過度なゾーン設定温度の調整を抑制することができる。また、給気風量不足ゾーンＺ１が存在しているかぎり、前回調整時から一定時間経過するごとにアシストゾーンのゾーン設定温度が繰り返し調整されるため、比較的早期に給気風量不足ゾーンＺ１での給気風量不足を解消することができる。
【００４９】
［本実施の形態の効果］
このように、本実施の形態は、ゾーン選択部１５Ｂが、ゾーンのうち給気風量が不足しているゾーンを給気風量不足ゾーンとして選択し、給気風量不足ゾーンの周囲に位置する１つまたは複数のゾーンを、給気風量不足ゾーンに対してアシスト給気を行うアシストゾーンとして選択し、給気風量調整部１５Ｃが、空調システム２０に指示するアシストゾーンのゾーン設定温度を調整して、アシストゾーンでの給気風量を増大させることにより、給気風量不足ゾーンで不足している給気風量を補うようにしたものである。
【００５０】
これにより、各ゾーンのうち給気風量が不足している給気風量不足ゾーンに対して、その周囲に位置する１つまたは複数のアシストゾーンにより、アシスト給気が行われることになる。したがって、任意のゾーンにおける給気風量の不足を補うことができ、設定温度と実温度との偏差、すなわち定常偏差の発生を抑制することが可能となる。このため、空間Ｒに設けられた各ゾーンのうち、熱負荷が大きいゾーンがあって冷房能力が間に合わない場合でも、周囲のゾーンから供給された給気により、より良好な空調環境に制御することが可能となる。
【００５１】
また、本実施の形態において、ゾーン選択部１５Ｂが、複数のＶＡＶから通知された、それぞれのゾーンＺｉでの関する空調能力不足を示す負荷状況に基づいて、給気風量不足ゾーンを選択するようにしてもよい。
これにより、ロードリセット制御する空調システム２０で用いられている各ゾーンの負荷状況を利用して、給気風量不足ゾーンを選択でき、簡素な構成で正確に給気風量不足ゾーンを選択することが可能となる。
【００５２】
また、本実施の形態において、給気風量調整部１５Ｃが、アシストゾーンのゾーン設定温度を調整する際、ＡＨＵが冷房運転中である場合には、アシストゾーンのゾーン設定温度を予め設定されている冷房調整温度だけ低い温度に調整し、ＡＨＵが暖房運転中である場合には、アシストゾーンのゾーン設定温度を予め設定されている暖房調整温度だけ高い温度に調整するようにしてもよい。
これにより、ＡＨＵが冷房運転中あるいは暖房運転中であっても、アシストゾーンのゾーン設定温度を調整するという、極めて簡素な制御でアシストゾーンの給気風量を調整することができる。
【００５３】
また、本実施の形態において、給気風量調整部１５Ｃが、アシストゾーンのゾーン設定温度を調整する際、アシストゾーンのうちから、当該アシストゾーンにおける前回調整時から一定時間経過していない既調整ゾーンを除外し、残りのアシストゾーンのゾーン設定温度のみを調整するようにしてもよい。
これにより、直前にゾーン設定温度を調整した前回調整時から一定時間経過していない既調整ゾーンが、アシストゾーンから除外されるため、既調整ゾーンの効果が得られる期間を設けることができ、過度なゾーン設定温度の調整を抑制することができる。また、給気風量不足ゾーンが存在しているかぎり、前回調整時から一定時間経過するごとにアシストゾーンのゾーン設定温度が繰り返し調整されるため、比較的早期に給気風量不足ゾーンＺ１での給気風量不足を解消することができる。
【００５４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５５】
１０…空調制御装置、１１…通信Ｉ／Ｆ部、１２…操作入力部、１３…表示部、１４…記憶部、１４Ｐ…プログラム、１５…演算処理部、１５Ａ…データ取得部、１５Ｂ…ゾーン選択部、１５Ｃ…給気風量調整部、１５Ｄ…空調指示部、２０…空調システム、２１…空調コントローラ、ＡＨＵ…空調機、ＶＡＶ…空調機器、Ｌ１，Ｌ２…通信回線。
【図１】
2020076508.tif 000003
【図２】
2020076508.tif 000004
【図３】
2020076508.tif 000005
【図４】
2020076508.tif 000006